(57)【要約】【課題】デジタルカメラの傾きを変えても遮光板の傾きを変わらないようにした遮光フードを提供する。【解決手段】デジタルカメラ等は、円筒部材１５に支持された支持部材１９に装着され、該円筒部材１５は、回動自在な回動軸１４を有し、該回動軸１４には、該回動軸１４と共に回動する遮光板１１が設けられている。また、重り軸１６は、前記回動軸１４に直交して円筒部材１３に支持された軸１７と、該軸１７の先端に取り付けられた重り１８とからなり、前記円筒部材１３は、回動軸１４に対して任意の角度に回動できるように配設されている。円筒部材１３には、回動軸１４を固定するためのビス１２があり、ビス１２によって遮光板１１を外光を遮光できる角度で固定すると、デジタルカメラ等の傾きを変えても、重り軸１６により遮光板１１の角度は変化しない。【選択図】図１
2005070370.tif 000002
【特許請求の範囲】
【請求項１】
携帯用電子機器のディスプレイに入射する光を遮光するための遮光フードにおいて、前記電子機器を支持する支持部材と、該支持部材に回動自在に配設された回動軸と、該回動軸と共に回動するように該回動軸に一体的に配設された遮光板と、前記回動軸に対して同軸にかつ回動自在に配設された円筒部材と、該円筒部材を前記回動軸に固定する固定手段と、該円筒部材に連結された重りとを有することを特徴とする遮光フード。
【請求項２】
前記円筒部材を前記回動軸に固定する位置を変えることによって、前記重りによって規定される垂直軸に対する前記遮光板の傾斜角を変えるようにしたことを特徴とする請求項１に記載の遮光フード。
【請求項３】
前記支持部材に、前記電子機器を着脱自在に装着できるようにしたことを特徴とする請求項１または請求項２に記載の遮光フード。
【発明の詳細な説明】
【技術分野】
【０００１】
本発明は、遮光フードに関し、より詳細には、ディスプレイを有する携帯用電子機器、例えば、ビデオカメラや電子スチルカメラ、あるいは、携帯テレビ等に装着しておいて使用され、前記携帯用電子機器のディスプレイ面を外光から遮光する遮光板を有する遮光フードにおいて、遮光板の傾きを、前記携帯用電子機器のディスプレイ面の傾動とは独立にかつ自由に、地球の重力線に対して所望の角度となるように設定可能し、前記携帯用電子機器のディスプレイ面の傾きを変えても前記遮光板の傾きを変わらないようにした遮光フードに関する。
【背景技術】
【０００２】
モニタ画面等のディスプレイを有するビデオカメラや電子スチルカメラ、あるいは、携帯テレビ等の携帯用の電子機器を屋外や照明のある場所で使用すると、該電子機器を使用する向きによっては、太陽や照明などの光がディスプレイに入射するため、ディスプレイに表示された画像が見難くなってしまうことがある。ディスプレイの画像が見難くなるのを防ぐために、電子機器に装着し、太陽や照明などの光を遮って光がディスプレイに入射することを防ぐ遮光フードが提供されている。
【０００３】
図８は、従来技術による遮光フードを取り付けたデジタルカメラの斜視図であり、遮光板４１は、デジタルカメラ（電子スチルカメラ）２０に設けられた表示部（ディスプレイ）２１に入射する光を遮るために、測板４２及び４３に支えられて、表示部２１の上側に取り付けられている。
【０００４】
図９は、従来技術による遮光フードを取り付けたデジタルカメラの側面図である。表示部２１の反対側面にレンズ部２２があり、水平方向にある被写体を撮影する場合は、レンズ部２２は、水平方向を向いた状態となる。この場合、右斜め上方からの太陽や照明などの光（以下、外光という）３０は、遮光板４１によって遮光され、表示部２１には入射しない。
【０００５】
また、表示部に入射する外光を遮光するために、例えば、特開平７−６７０５７号公報（特許文献１）では、外光を遮光する天板と該天板を支える測板及びそれらを支持する枠より構成される遮光フードを携帯用液晶テレビに取り付け、液晶画面への外光を遮光している。
【特許文献１】特開平７−６７０５７号公報
【発明の開示】
【発明が解決しようとする課題】
【０００６】
しかしながら、上述した発明は、電子機器を傾けない状態で使用する場合は、表示部に入射する外光を遮光フードにより有効に遮光できるが、電子機器を傾けた時に、遮光フードも一緒に傾くため、外光が表示部に入射してしまうことがある。
図１０は、従来技術による遮光フードが表示部への外光を遮光できない場合を説明するための図である。遮光板４１が表示部２１への外光３０を遮光している状態（図９に示した状態）からデジタルカメラ２０の傾きを変えた時、例えば、地面に近い位置にある花などの被写体を撮影するために、水平方向に向いていたレンズ部２２を斜め下方に向けた時、デジタルカメラ２０に固定された遮光板４１は、デジタルカメラ２０と共に外光３０に対する角度が変化するため、遮光板４１が元の位置にあった時に遮光できていた外光３０の一部しか遮光出来なくなり、表示部２１の視認性を悪化させてしまうという課題があった。
【０００７】
本発明は、上述のごとき実情に鑑みてなされたもので、モニタ画面等のディスプレイ（表示部）を有するビデオカメラや電子スチルカメラ、あるいは、携帯テレビ等の携帯用の電子機器に用いられ、外光を遮光する遮光板を有する遮光フードにおいて、遮光板の傾きを任意の角度に設定できるようにし、さらに、電子機器のディスプレイの傾きを変えても遮光板の傾きを変わらないようにした遮光フードを提供することを目的とする。
【課題を解決するための手段】
【０００８】
本発明は、携帯用電子機器のディスプレイに入射する光を遮光するための遮光フードにおいて、前記電子機器を支持する支持部材と、該支持部材に回動自在に配設された回動軸と、該回動軸と共に回動するように該回動軸に一体的に配設された遮光板と、前記回動軸に対して同軸にかつ回動自在に配設された円筒部材と、該円筒部材を前記回動軸に固定する固定手段と、該円筒部材に連結された重りとを有することを特徴とするもので、例えば、端部に回動軸を備えた遮光板と、該遮光板を相対回動自在に取り付けた支持部材と、前記回動軸の一端部に相対回動自在に取り付けた重り軸とからなり、前記遮光板と相対回動自在な前記重り軸の回動動作を任意の角度で固定及び解放するものである。
【０００９】
更には、前記円筒部材を前記回動軸に固定する位置を変えることによって、前記重りによって規定される垂直軸に対する前記遮光板の傾斜角を変えるようにしたことを特徴とする。
【００１０】
更には、前記支持部材に、前記電子機器を着脱自在に装着できるようにしたことを特徴とするもので、例えば、遮光フードの支持部材を、表示部を備えた電子機器の天面に固定し、遮光板の遮光面の面積を、前記表示部の画面の面積より大きくしたものである。
【発明の効果】
【００１１】
本発明によれば、遮光板を太陽や照明などの光に対して最も効果的に遮光できる角度に設定でき、さらに、遮光板の角度を設定した後は、デジタルカメラのレンズを向ける角度、すなわち、デジタルカメラ本体が傾く角度に拠らず、太陽や照明などの光に対して遮光板の角度を一定に保てるので、ディスプレイへの光を効果的に遮り、ディスプレイの視認性を改善することができる。
【発明を実施するための最良の形態】
【００１２】
図１は、本発明による遮光フードの一実施形態の構成図であり、遮光フード１０の外観を示す斜視図である。遮光板１１は、太陽や照明などの光がモニタ画面等の表示部（ディスプレイ）を有するビデオカメラや電子スチルカメラ、あるいは、携帯テレビ等の表示部に入射しないように、太陽や照明などの光を遮光するものである。遮光板１１は、回動軸１４と一体構造になっており、回動軸１４と共に回動する。この回動軸１４は、支持部材１９を支持する円筒部材１５を貫通し、回動軸１４と円筒部材１５の間は、わずかな隙間を持ち、円筒部材１５は、回動軸１４に対して回動自在な構成となっている。円筒部材１５に支持された支持部材１９は、円筒部材１５と一体成形されたものでもよく、また、接着等で円筒部材１５に固定されたものでも良い。
【００１３】
また、重り軸１６は、回動軸１４に直交して円筒部材１３に支持された軸１７と、該軸１７の先端に取り付けられた重り１８とから構成される。円筒部材１３は、軸１７と一体成形されたものでもよく、また、接着等で軸１７と固定されていても良い。回動軸１４は、円筒部材１３を貫通し、回動軸１４と円筒部材１３との間は、わずかな隙間を持ち、円筒部材１３に支持された軸１７は、回動軸１４に対して任意の角度に回動できる構成となっている。軸１７の先端に取り付けられた重り１８は、遮光板１１の質量の数倍の質量である。
【００１４】
円筒部材１３の外周には、回動軸１４に直交する方向に円筒部材１３を貫通し回動軸１４に到達するビス（固定手段）１２がねじ込まれており、このビス１２を締め付けたり、緩めたりすることにより、重り軸１６を支持する円筒部材１３が回動軸１４に固定、あるいは、解放（回動）されるようになっている。ビス１２を締め付けて、円筒部材１３に支持された重り軸１６を回動軸１４に固定することにより、重り軸１６と遮光板１１を、任意の角度で固定できる。重り軸１６は、軸１７の先端に取り付けられた重り１８により、ほぼ垂直方向に垂れ下がり、遮光板１１は、その重り軸１６に対して、ビス１２により固定された角度で保持される。
【００１５】
図２は、本発明による遮光フードの一実施形態をデジタルカメラに取り付けた状態を示す斜視図である。本発明による遮光フード１０は、支持部材１９に、例えば、デジタルカメラ２０を装着する。この場合、支持部材１９の底面１９ａを両面粘着テープ等で、デジタルカメラ２０の上面に固定しても良いし、あるいは、支持部材１９の底面１９ａをデジタルカメラ２０のストロボシュー挿入機構に挿入できる形状にして、デジタルカメラ２０に装着して固定しても良いし、あるいは、マジックテープ（登録商標）など他の固定方法を使用して固定しても良い。遮光板１１は、ビス１２を緩めた状態で、デジタルカメラ２０の表示部２１に入射する太陽や照明などの光を遮光できる角度に調節され、調節された角度でビス１２を締めつけることにより固定される。遮光板１１の遮光面の面積は、表示部２１に入射する光を遮光できるように、表示部２１の画面の面積より大きくしている。
【００１６】
図３は、本発明による遮光フードの一実施形態をデジタルカメラに取り付けた状態を示す側面図であり、図２に示した状態を、左側から見た側面図である。図３において、重り軸１６は、円筒部材１３に設けられたビス１２の締め付けにより回動軸１４に固定されており、また、遮光板１１と回動軸１４は、一体構造で固定されているため、遮光板１１は、重り軸１６に対して任意の角度に固定された状態になっている。ここで、重り１８は、重力により下方に力Ｆを受けているため、重り軸１６は、略垂直に垂れ下がった状態になっている。この状態において、デジタルカメラ２０の傾きが変化しても、円筒部材１５が回動軸１４と固定されていないため、重り軸１６は、回動せずに同じ状態を保持する。つまり、重り軸１６は、デジタルカメラ２０に対して固定されていない。
【００１７】
図４は、本発明による遮光フードを取り付けたデジタルカメラを傾けた状態の一例を示す側面図であり、例えば、地面に近い位置にある被写体を撮影するために、デジタルカメラ２０のレンズ部２２を下方に傾けた場合を示している。この状態において、前述したように、重り軸１６は、デジタルカメラ２０に対して固定されないため、円筒部材１５の円周方向に自由に回動できる状態にある。ここで、重り軸１６は、重力により、常に水平面に対して９０度下方に力を受けた状態にあるので、円筒部材１３と回動軸１４とによって重り軸１６と連結された遮光板１１も、デジタルカメラ２０の傾きに拠らず、水平面に対して一定の角度を保つものである。
【００１８】
この状態において、外光３０は、遮光板１１により遮光されて、デジタルカメラ２０の表示部２１には入射しない。すなわち、デジタルカメラ２０が傾くと、重り軸１６は、デジタルカメラ２０に対して、回動軸１４を中心に相対的に回動するが、重り軸１６自身は、同じ位置を保持するので、デジタルカメラ２０が傾いても、遮光板１１の角度は変化せず、外光３０は、遮光板１１によって遮光され表示部２１には入射しない。
【００１９】
図５は、本発明による遮光フードを取り付けたデジタルカメラを傾けた状態の他の例を示す側面図であり、デジタルカメラ２０のレンズ部２２をさらに下方に傾けた場合を示している。この場合、デジタルカメラ２０自身の傾きが増加しているが、遮光板１１と外光３０との角度が変化していないので、外光３０は、図４に示した場合と同様に、遮光板１１によって遮光される。但し、遮光板１１の角度が、不適切であると、図４に示した状態で、表示部２１に入射していなかった光が、表示部２１に入射することがあるので、この場合、遮光板１１の角度を調整する必要がある。
【００２０】
図６は、本発明による遮光フードをデジタルカメラに取り付けた状態で遮光板の傾きを変えた一例を示す側面図である。遮光板１１は、ビス１２を締め付けたり、緩めたりすることにより、重り軸１６に対して任意の角度に固定できる。例えば、外光３０の角度が、図４に示した外光３０の角度より傾いたことにより、デジタルカメラ２０の表示部２１に光が入射するようになった場合、ビス１２を緩めて、遮光板１１を、表示部２１に光が入射しなくなる角度、図６に示した例では、表示部２１に対して直角の位置で、ビス１２を締め付けて固定することにより、表示部２１への光を遮光している。
【００２１】
図７は、本発明による遮光フードをデジタルカメラに取り付けた状態で遮光板の傾きを変えた他の例を示す側面図である。外光３０の角度が、図６の場合よりさらに傾いたことにより、デジタルカメラ２０の表示部２１に光が入射するようになった場合、ビス１２を緩めて、遮光板１１を、表示部２１に近づく角度まで傾けた位置で、ビス１２を締め付けて固定することにより、表示部２１への光を遮光している。
【００２２】
上述した実施形態では、遮光板１１の角度を保持するための重り軸１６として、軸１７の先端に重り１８を付けて、円筒部材１３に連結しているが、軸１７の替わりに、糸やひもで重り１８を円筒部材１３に連結しても良い。この場合、円筒部材１３の外周部に糸やひもを連結するので、糸やひもを連結した外周部の点に、重り１８による下方向への力がかかり、円筒部材１３の回動を抑止できる。糸やひもを用いると、遮光フード未使用時に、軸１７を用いた場合より、遮光フードを小さく収納できる。
【図面の簡単な説明】
【００２３】
【図１】本発明による遮光フードの一実施形態の構成図である。
【図２】本発明による遮光フードの一実施形態をデジタルカメラに取り付けた状態を示す斜視図である。
【図３】本発明による遮光フードの一実施形態をデジタルカメラに取り付けた状態を示す側面図である。
【図４】本発明による遮光フードを取り付けたデジタルカメラを傾けた状態の一例を示す側面図である。
【図５】本発明による遮光フードを取り付けたデジタルカメラを傾けた状態の他の例を示す側面図である。
【図６】本発明による遮光フードをデジタルカメラに取り付けた状態で遮光板の傾きを変えた一例を示す側面図である。
【図７】本発明による遮光フードをデジタルカメラに取り付けた状態で遮光板の傾きを変えた他の例を示す側面図である。
【図８】従来技術による遮光フードを取り付けたデジタルカメラの斜視図である。
【図９】従来技術による遮光フードを取り付けたデジタルカメラの側面図である。
【図１０】従来技術による遮光フードが表示部への外光を遮光できない場合を説明するための図である。
【符号の説明】
【００２４】
１０…遮光フード、１１…遮光板、１２…ビス、１３…円筒部材、１４…回動軸、１５…円筒部材、１６…重り軸、１７…軸、１８…重り、１９…支持部材、１９ａ…底面、２０…デジタルカメラ、２１…表示部、２２…レンズ部、３０…外光、４１…遮光板、４２、４３…測板。
【図１】
2005070370.tif 000003
【図２】
2005070370.tif 000004
【図３】
2005070370.tif 000005
【図４】
2005070370.tif 000006
【図５】
2005070370.tif 000007
【図６】
2005070370.tif 000008
【図７】
2005070370.tif 000009
【図８】
2005070370.tif 000010
【図９】
2005070370.tif 000011
【図１０】
2005070370.tif 000012